【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
課題を示す情報である課題情報を被提案者の端末装置に送信する課題情報送信手段と、
前記課題情報送信手段によって送信された課題情報を受信した被提案者の端末装置から、当該被提案者が承認した課題を示す課題情報を識別する課題識別情報を受信する課題承認受信手段と、
前記課題承認受信手段で受信した課題識別情報に基づいて、当該課題識別情報に対応する課題の課題情報と、前記被提案者が当該課題を承認したかどうかを示す課題承認情報とを一の課題関連情報に含まれるように記憶手段に記憶する課題承認手段と、
前記被提案者の端末装置から、前記課題承認手段で設定された課題承認情報に対応する課題情報にかかる課題の実行結果に関する情報である課題結果情報を受信する課題結果情報受信手段とを具備する課題共有装置。
【請求項２】
前記課題結果情報は、課題に対する活動に関する情報であり、
前記課題結果情報受信手段が受信した課題結果情報に関する課題を達成しているかどうかを、当該課題結果情報を用いて判断する課題結果判断手段と、
前記課題結果判断手段が判断した結果の情報を、前記課題結果情報受信手段が受信した課題結果情報に関する課題情報を有する課題関連情報に含まれる課題達成状態情報として前記記憶手段に記憶する課題達成状態情報設定手段とをさらに具備する請求項１記載の課題共有装置。
【請求項３】
前記記憶手段に記憶されている課題関連情報に対して、当該課題関連情報に含まれる課題情報によって示される課題が、当該課題関連情報に含まれる被提案者識別情報で識別される被提案者にとって適切であるかどうかの度合いを示す値であるスコアを算出するスコア算出手段と、
前記記憶手段に記憶されている課題関連情報に含まれる被提案者識別情報が同一である課題関連情報を特定し、特定した課題関連情報のうち少なくとも一部の課題関連情報から、前記スコア算出手段が算出したスコアに応じて被提案者に提案されるべき課題情報である提案課題情報を構成する提案課題情報構成手段とをさらに具備し、
前記課題情報送信手段は、前記提案課題情報構成手段で構成された提案課題情報を送信する、請求項２記載の課題共有装置。
【請求項４】
前記スコア算出手段は、スコアの算出対象の課題関連情報に含まれる提案者識別情報と、当該課題関連情報に含まれる被提案者識別情報とを有する、前記記憶手段に記憶されている課題関連情報に応じた値である挑発度、当該スコアの算出対象の課題関連情報に含まれる提案者識別情報を有する、前記記憶手段に記憶されている課題関連情報に応じた値である提案者適性度、および、当該スコアの算出対象の課題関連情報に含まれる被提案者識別情報を有する、前記記憶手段に記憶されている課題関連情報に応じた値である被提案者適性度のうち少なくとも１つの値を算出し、算出した値を用いてスコアを算出する、請求項３記載の課題共有装置。
【請求項５】
前記スコア算出手段は、スコアの算出対象の課題関連情報に含まれる提案者識別情報で識別される提案者と、当該スコアの算出対象の課題関連情報に含まれる被提案者識別情報に識別される被提案者との二者間の関係性に応じた値である親密度、および、当該スコアの算出対象の課題関連情報に含まれる被提案者識別情報で識別される被提案者と当該スコアの算出対象の課題関連情報に含まれる課題情報が示す課題との関係性に応じた値である課題適性度のうち少なくとも１つの値を用いてスコアを算出する、請求項３または請求項４記載の課題共有装置。
【請求項６】
前記課題関連情報は、当該課題関連情報に含まれている提案者識別情報によって識別される提案者、および当該課題関連情報に含まれている被提案者識別情報によって識別される被提案者を除く第三者からの応援に関する情報である１以上の応援情報をさらに含み、
第三者の端末装置から応援情報と、当該応援情報で第三者が応援する課題を示す課題情報を識別する課題識別情報とを対応付けて受信する応援情報受信手段と、
前記応援情報受信手段が受信した応援情報を、当該応援情報に対応付けられた課題識別情報で識別される課題情報を有する課題関連情報に追加する応援情報追加手段とをさらに具備し、
前記スコア算出手段は、前記記憶手段に記憶されている課題関連情報に含まれる応援情報を用いてスコアを算出し、
前記課題情報送信手段は、第三者に対しても課題関連情報に含まれる課題情報を送信する、請求項３から請求項５のいずれか一項に記載の課題共有装置。
【請求項７】
課題情報と共に送信される広告を示す情報である広告情報と、広告の掲載に関する広告費用を示す広告費用情報とを有する広告関連情報が格納される広告関連情報格納手段と、
課題関連情報に含まれる課題情報に関係する広告情報を、前記広告関連情報格納手段に格納されている広告関連情報に含まれている広告情報から選択する広告情報選択手段と、
被提案者に広告費用の少なくとも一部を分配する広告費用分配手段とをさらに具備し、
前記課題情報送信手段は、送信する課題情報に対して前記広告情報選択手段が選択した広告情報をも送信し、
前記広告費用分配手段は、前記課題達成状態情報設定手段が設定した課題達成状態情報に応じて、当該課題達成状態情報を有する課題関連情報に含まれる被提案者識別情報で識別される被提案者に、当該課題関連情報に対して前記広告情報選択手段が選択した広告情報を有する広告関連情報に含まれる広告費用情報によって示される広告費用の少なくとも一部を分配する、請求項２から請求項６のいずれか一項に記載の課題共有装置。
【請求項８】
前記課題関連情報は、課題に対する報酬を示す報酬情報をさらに含み、
前記課題達成状態情報設定手段が関連付けて記憶した課題達成状態情報に応じて、当該課題達成状態情報を有する課題関連情報に含まれる被提案者識別情報で識別される被提案者に、当該課題関連情報に含まれる報酬情報によって示される報酬の少なくとも一部を分配する報酬分配手段とをさらに具備する請求項２から請求項７のいずれか一項に記載の課題共有装置。
【請求項９】
課題情報送信手段と、課題承認受信手段と、課題承認手段と、課題結果情報受信手段とを用いて処理される課題共有方法であって、
前記課題情報送信手段が、被提案者の端末装置に、課題を示す情報である課題情報を送信する課題情報送信ステップと、
前記課題承認受信手段が、前記被提案者の端末装置から、被提案者が承認した課題を示す課題情報を識別する課題識別情報を受信する課題承認受信ステップと、
前記課題承認手段が、前記課題承認受信ステップで受信した課題識別情報で識別される課題情報に基づいて、当該課題識別情報に対応する課題の課題情報と、前記被提案者が当該課題を承認したかどうかを示す課題承認情報とを一の課題関連情報に含まれるように記憶手段に記憶する課題承認ステップと、
前記課題結果情報受信手段が、前記被提案者の端末装置から、前記課題承認ステップで設定された課題承認情報に対応する課題情報にかかる課題の実行結果に関する情報である課題結果情報を受信する課題結果情報受信ステップとを具備する課題共有方法。
【請求項１０】
記憶手段にアクセス可能なコンピュータを、
課題を示す情報である課題情報を被提案者の端末装置に送信する課題情報送信手段と、
前記課題情報送信手段によって送信された課題情報を受信した被提案者の端末装置から、当該被提案者が承認した課題を示す課題情報を識別する課題識別情報を受信する課題承認受信手段と、
前記課題承認受信手段で受信した課題識別情報に基づいて、当該課題識別情報に対応する課題の課題情報と、前記被提案者が当該課題を承認したかどうかを示す課題承認情報とを一の課題関連情報に含まれるように記憶手段に記憶する課題承認手段と、
前記被提案者の端末装置から、前記課題承認手段で設定された課題承認情報に対応する課題情報にかかる課題の実行結果に関する情報である課題結果情報を受信する課題結果情報受信手段として機能させるためのプログラム。